(57)【要約】【課題】  すべての映像ソースが使用不可である場合に、そのことが使用者に認識可能な映像ソースの探索支援方法、当該探索支援方法を用いた映像表示装置、プロジェクタを提供すること。【解決手段】  一の映像ソースに基づく表示がなされている場合に、使用者による映像ソース探索開始操作を受け付けて、当該表示装置で表示可能な映像ソースの一覧を含む探索画面を表示する第１ステップと、前記当該表示装置で表示可能な映像ソースのうち前記一の映像ソース以外の残りの映像ソースについて、映像信号が検出されるまで所定の順番で映像信号の有無を検出する手順を実行する第２ステップとを有する映像ソースの探索支援方法であって、前記第２ステップにおいては、映像信号が検出された場合には当該映像ソースに基づく表示を開始し、一度も映像信号が検出されなかった場合には映像信号が検出されなかった旨の情報を探索画面に表示することを特徴とする。【選択図】      図７
2006285167.tif 000002
【特許請求の範囲】
【請求項１】
映像信号にて表される映像を表示部に表示する映像表示装置であって、
複数の映像ソースから供給される前記映像信号を、前記映像信号ごとに入力するための複数の入力端子と、
複数の前記入力端子から所定の入力端子を選択する入力セレクタと、
前記入力セレクタにより選択された入力端子に、前記映像信号が入力されているか否か識別する識別部と、
前記複数の入力端子ごとに前記映像信号が入力されているか否か探索するための探索操作を受け付ける操作部と、
前記各入力端子に対応する映像ソース名ごとの探索状態を示す探索画面を映像信号として生成する映像信号補正部と、
前記操作部への探索操作に応じて、少なくとも前記表示部に前記探索画面を表す映像信号による映像を表示させる制御部と、を備え、
前記制御部は、前記操作部へ探索操作がなされると、前記入力セレクタにより前記入力端子を順番に選択させるとともに、前記選択された入力端子ごとに前記識別部により前記映像信号の入力の有無を確認させ、確認した前記入力端子に前記映像信号が入力されていない場合、その旨を示す表示を前記映像信号補正部により前記探索画面に追加し、映像信号が入力された入力端子が確認された場合、前記映像信号補正部により前記探索画面を閉じさせるとともに、前記映像信号の入力が確認された入力端子からの映像信号による映像を前記表示部に表示させることを特徴とする映像表示装置。
【請求項２】
前記映像信号が入力されている前記入力端子が一つも確認されなかった場合において、前記探索画面から前記操作部により映像ソースを選択する操作がなされると、前記制御部は、前記映像信号補正部により前記探索画面を閉じさせるとともに、前記選択された映像ソースに対応する前記入力端子を前記入力セレクタに選択させることを特徴とする請求項１に記載の映像表示装置。
【請求項３】
さらに、前記探索操作がなされる前に前記入力セレクタが選択していた初期入力端子を記憶する記憶部を備え、
前記映像信号が入力されている前記入力端子が一つも確認されず、さらに所定の時間内に前記操作部に映像ソースを選択する操作がなされなかった場合、前記制御部は、前記映像信号補正部により前記探索画面を閉じさせるとともに、前記記憶部に記憶されている初期入力端子を前記入力セレクタにより選択させることを特徴とする請求項１または２に記載の映像表示装置。
【請求項４】
前記探索操作がなされる前に前記入力セレクタが選択していた初期入力端子に前記映像信号が入力されていた場合、
前記制御部は、前記操作部へ前記探索操作がなされると、前記各部による前記探索操作に応じた動作に先立って、前記映像信号補正部により前記初期入力端子に対応する映像ソース名と、前記映像信号の入力が有る旨の表示を含んだ前記探索画面を表す映像信号を生成させることを特徴とする請求項１に記載の映像表示装置。
【請求項５】
前記初期入力端子以外の前記入力端子に映像信号の入力がなかった場合、
前記制御部は、前記入力セレクタにより前記初期入力端子を選択させるとともに、前記映像信号補正部により前記初期入力端子から入力される映像信号による映像より小さな前記探索画面を前記初期入力端子から入力する映像信号に所定の時間重畳させることを特徴とする請求項１または４に記載の映像表示装置。
【請求項６】
映像信号にて表される映像を表示部に表示する映像表示装置であって、
複数の映像ソースから供給される前記映像信号を、前記映像信号ごとに入力するための複数の入力端子と、
複数の前記入力端子から所定の入力端子を選択する入力セレクタと、
前記入力セレクタにより選択された入力端子に、前記映像信号が入力されているか否か識別する識別部と、
前記複数の入力端子ごとに前記映像信号が入力されているか否か探索するための探索操作を受け付ける操作部と、
前記各入力端子に対応する映像ソース名ごとの探索状態を示す探索画面を映像信号として生成する映像信号補正部と、
前記操作部への探索操作に応じて、少なくとも前記表示部に前記探索画面を表す映像信号による表示をさせる制御部と、を備え、
前記制御部は、前記操作部への探索操作がなされると、前記入力セレクタにより前記入力端子を順番に選択させるとともに、前記選択された入力端子ごとに前記識別部により前記映像信号の入力の有無を確認させ、確認した前記入力端子ごとの前記映像信号の有無を示す表示を前記映像信号補正部により前記探索画面に順次追加し、全ての前記入力端子における前記映像信号の有無を確認することを特徴とする映像表示装置。
【請求項７】
前記全ての前記入力端子における前記映像信号の有無確認を行った後、所定の時間内に前記操作部に映像ソースを選択する操作がなされなかった場合、前記制御部は、前記映像信号補正部により前記探索画面を閉じさせるとともに、最初に映像信号が確認された入力端子を前記入力セレクタにより選択させることを特徴とする請求項６に記載の映像表示装置。
【請求項８】
前記識別部による前記選択された入力端子ごとの前記映像信号の有無確認がなされている間、前記制御部は、前記映像信号補正部により前記探索画面に前記映像信号を探索中である旨の表示を重畳させることを特徴とする請求項１〜７のいずれか一項に記載の映像表示装置。
【請求項９】
前記探索画面が閉じられ、前記探索操作に応じた各部の動作または、前記操作部への選択操作によって前記入力セレクタが選択した前記入力端子に、前記映像信号が入力されていない場合、
前記制御部は、前記映像信号補正部により前記選択された映像ソース名と、映像信号が入力されていない旨を示す画面を表す映像信号を生成させ、前記表示部に表示させることを特徴とする請求項１〜８のいずれか一項に記載の映像表示装置。
【請求項１０】
前記映像表示装置は、光源部が発する光を光変調素子により前記映像信号に応じた変調光に変調し、前記変調光を投写レンズにより拡大して投写するプロジェクタであることを特徴とする請求項１〜９のいずれか一項に記載の映像表示装置。
【請求項１１】
一の映像ソースに基づく表示がなされている場合に、使用者による映像ソース探索開始操作を受け付けて、当該映像表示装置で表示可能な映像ソースの一覧を含む探索画面を表示する第１ステップと、
前記当該映像表示装置で表示可能な映像ソースのうち前記一の映像ソース以外の残りの映像ソースについて、映像信号が検出されるまで所定の順番で映像信号の有無を検出する手順を実行する第２ステップとを有する映像ソースの探索支援方法であって、
前記第２ステップにおいては、映像信号が検出された場合には当該映像ソースに基づく表示を開始し、一度も映像信号が検出されなかった場合には映像信号が検出されなかった旨の情報を前記探索画面に表示することを特徴とする映像ソースの探索支援方法。
【請求項１２】
映像信号にて表される映像を表示する映像表示装置が行う映像ソースの探索支援プログラムであって、
一の映像ソースに基づく表示がなされている場合に、使用者による映像ソース探索開始操作を受け付けて、当該映像表示装置で表示可能な映像ソースの一覧を含む探索画面を表示する第１ステップと、前記当該映像表示装置で表示可能な映像ソースのうち前記一の映像ソース以外の残りの映像ソースについて映像信号が検出されるまで所定の順番で映像信号の有無を検出する手順を実行するとともに、映像信号が検出された場合には当該映像ソースに基づく表示を開始し、一度も映像信号が検出されなかった場合には映像信号が検出されなかった旨の情報を前記探索画面に表示する第２ステップとを実行させる手順を有することを特徴とする映像ソースの探索支援プログラム。
【発明の詳細な説明】
【技術分野】
【０００１】
本発明は、映像ソースの探索支援方法、当該探索支援方法を用いた映像表示装置、プロジェクタに関する。
【背景技術】
【０００２】
映像表示装置としてのプロジェクタには、通常複数の映像ソース（ＰＣ、ＤＶＤ、ＶＴＲ、その他の映像機器、インターネット等）が接続可能である。図１６は、従来のプロジェクタ５００に複数の映像ソースが接続された様子を示す図である。
プロジェクタ５００は、図１６に示すように、複数の映像ソースＰＣ１，ＰＣ２，ＶＴＲ，ＤＶＤのうち所望の映像ソースに基づく画像光を生成してスクリーンＳ上に投写する。入出力インタフェースとしては、図１６に示す入出力インタフェース（ＩComputer1、ＩComputer2、ＩVideo、ＩS-Video）に加えて最近ではＬＡＮ（無線又は有線）インターフェースも使用されるようになってきている。
【０００３】
ところで、このようなプロジェクタを使用する際には、使用可能な映像ソースから所望の映像ソースを選択して投写表示を行うため、複数の映像ソースのうちどの映像ソースが使用可能か、どのような表示が行われているか等を簡単に探索できれば便利である。
【０００４】
図１７は、従来の映像ソースの探索支援方法を説明するために示す図である。
従来の映像ソースの探索支援方法は、図１７に示すように、モードスイッチ又はリモコンより映像ソース切換命令が入力されると、ＲＡＭのフラグに現在選択されている映像ソースの次の映像ソースを記憶させ（ステップＳ９４０）、ＲＡＭに記憶させた映像ソース名をＯＳＤで表示する（ステップＳ９４１）。続いて、切り換えられた映像ソースからの映像信号を出力させるための切換信号が入力切換装置へ出力される（ステップＳ９４２）。その後、タイマーのタイムアップ（ステップＳ９４３）後、ＯＳＤでの表示を消去する（ステップＳ９４４）というものである。映像ソースは、ビデオ１→ビデオ２→オプション→…というように、映像ソース切換命令が入力されるたびに切り換わる（例えば、特許文献１参照）。
【０００５】
このため、従来の映像ソースの探索支援方法によれば、使用者からの映像ソース切換命令によって映像ソースが順次切り替わり、どの映像ソースが使用可能であるか、どのような表示が行われているか等を確実に確認することができる。
【０００６】
しかしながら、従来の映像ソースの探索支援方法においては、使用不可の映像ソース（プロジェクタに接続されていない映像ソース、電源が入っていない映像ソース等）についても、映像ソースが使用可能かどうか等について確認しながら順次映像ソースを切り換えていく必要があるため、操作が煩雑で不便である。近年のように、プロジェクタに接続可能な映像ソースの数が多くなると、なおさらである。そこで、このような問題を解決するための従来の他の映像ソースの探索支援方法が提案されている。
【０００７】
図１８は、従来の他の映像ソースの探索支援方法を説明するために示す図である。
従来の他の映像ソースの探索支援方法は、図１８に示すように、映像信号の有無を検出することにより、映像ソースの探索中に使用不可の映像ソースがあればこれを飛び越して自動的に次の映像ソースを探索するというものである。このため、従来の他の映像ソースの探索支援方法によれば、探索対象の映像ソースに使用不可の映像ソースが含まれる場合であっても、その映像ソースは飛び越されて自動的に次の映像ソースが探索されるようになるため、映像ソースが使用可能であるかどうか等を確認しながら一々映像ソースを切り換えていく必要がなくなり、操作が容易になり利便性が向上する（例えば、非特許文献１参照）。
【０００８】
【特許文献１】特開２０００−０８１６６６号公報
【非特許文献１】ビジネスプロジェクタ総合カタログ（（エプソン販売株式会社、セイコーエプソン株式会社）カタログコード：ＣＬＥＬＳＧ１６Ａ（２００４．１２．１５））（第３頁（映像信号自動検出の説明欄））
【発明の開示】
【発明が解決しようとする課題】
【０００９】
しかしながら、従来の他の映像ソースの探索支援方法においては、最初に選択される映像ソースをも含めてすべての映像ソースが使用不可である場合には、すべての映像ソースが飛び越されるため、画面には何も表示されないことになる。このため、使用者は、何故何も表示されないのかわからないため、戸惑ってしまい、その結果プロジェクタの使い勝手を悪くしてしまうという問題があった。
【００１０】
また、従来の他の映像ソースの探索支援方法においては、いわゆるスタンバイ状態の映像ソース（プロジェクタに接続され電源が入っているにもかかわらず映像信号をまだ発していない段階の映像ソース。以下、スタンバイ状態の映像ソースという）についても、使用不可の映像ソースの場合と同様に飛び越されてしまうため、使用者がこのようなスタンバイ状態の映像ソースを選択することができないという問題があった。
【００１１】
なお、これらの問題は、プロジェクタにおいて映像ソースを探索するときにだけ見られる問題ではなく、複数の映像ソースを接続することが可能な映像表示装置において映像ソースを探索するときにも同様に見られる問題である。
【００１２】
そこで、本発明は、このような問題を解決するためになされたもので、映像信号を出力している映像ソースを効率的に探索できるとともに、全ての映像ソースから映像信号が入力されていない場合であっても、そのことが使用者に認識可能な映像ソースの探索支援方法を提供することを第１の目的とする。
また、スタンバイ状態の映像ソースを選択することが可能な映像ソースの探索支援方法を提供することを第２の目的とする。
また、前記探索支援方法を用いた映像表示装置およびプロジェクタを提供することを第３の目的とする。
【課題を解決するための手段】
【００１３】
前記目的を達成するために、本発明の映像表示装置は、映像信号にて表される映像を表示部に表示する映像表示装置であって、複数の映像ソースから供給される映像信号を、映像信号ごとに入力するための複数の入力端子と、複数の入力端子から所定の入力端子を選択する入力セレクタと、入力セレクタにより選択された入力端子に、映像信号が入力されているか否か識別する識別部と、複数の入力端子ごとに映像信号が入力されているか否か探索するための探索操作を受け付ける操作部と各入力端子に対応する映像ソース名ごとの探索状態を示す探索画面を映像信号として生成する映像信号補正部と、操作部への探索操作に応じて、少なくとも表示部に探索画面を表す映像信号による映像を表示させる制御部と、を備え、制御部は、操作部へ探索操作がなされると、入力セレクタにより入力端子を順番に選択させるとともに、選択された入力端子ごとに識別部により映像信号の入力の有無を確認させ、確認した入力端子に映像信号が入力されていない場合、その旨を示す表示を映像信号補正部により探索画面に追加し、映像信号が入力された入力端子が確認された場合、映像信号補正部により探索画面を閉じさせるとともに、映像信号の入力が確認された入力端子からの映像信号による映像を表示部に表示させることを特徴とする。
【００１４】
この構成によれば、制御部は、操作部へ探索操作がなされると、入力セレクタにより入力端子を順番に選択させるとともに、選択された入力端子ごとに識別部により映像信号の入力の有無を確認させ、確認した入力端子に映像信号が入力されていない場合、その旨を示す表示を映像信号補正部により探索画面に追加することから、映像表示装置の表示部には、探索された入力端子に対応する映像ソースから映像信号が入力されていないことを示す表示が、逐次探索画面に追加される。
よって、映像ソースごとの映像信号の供給状況を、リアルタイムで映像表示装置の使用者に視認させることができる。また、全ての映像ソースから映像信号が入力されていない場合であっても、そのことを探索画面により視認させることができる。
【００１５】
さらに、制御部は、映像信号が入力された入力端子が確認された場合、映像信号補正部により探索画面を閉じさせるとともに、映像信号の入力が確認された入力端子からの映像信号による映像を表示部に表示させることから、映像表示装置は、映像信号の入力が確認されると、探索画面を閉じて、当該入力端子に対応する映像ソースからの映像信号にて表される映像を表示部に表示する。
よって、映像表示装置は、映像ソースの探索が終了したことを使用者に視認させるとともに、映像信号を出力している映像ソースを効率良く探索することができる。
従って、本発明の映像表示装置は、映像信号を出力している映像ソースを効率的に探索できるとともに、全ての映像ソースから映像信号が入力されていない場合であっても、そのことを使用者に認識させることができる。
【００１６】
本発明に係る映像表示装置によれば、映像信号が入力されている入力端子が一つも確認されなかった場合において、探索画面から操作部により映像ソースを選択する操作がなされると、制御部は、映像信号補正部により探索画面を閉じさせるとともに、選択された映像ソースに対応する入力端子を入力セレクタに選択させることが好ましい。
【００１７】
この構成によれば、探索画面から映像ソースを選択する操作がなされると、制御部は、映像信号補正部により探索画面を閉じさせるとともに、選択された映像ソースに対応する入力端子を入力セレクタに選択させることから、映像表示装置は、映像信号が入力されている入力端子が一つも確認されなかった場合であっても、探索画面から選択操作された映像ソースに対応する入力端子を選択する。
従って、本発明の映像表示装置によれば、スタンバイ状態の映像ソースを選択することができる。
【００１８】
本発明に係る映像表示装置によれば、さらに、探索操作がなされる前に入力セレクタが選択していた初期入力端子を記憶する記憶部を備え、映像信号が入力されている入力端子が一つも確認されず、さらに所定の時間内に操作部に映像ソースを選択する操作がなされなかった場合、制御部は、映像信号補正部により探索画面を閉じさせるとともに、記憶部に記憶されている初期入力端子を入力セレクタにより選択させることが好ましい。
【００１９】
この構成によれば、映像信号が入力されている入力端子が一つも確認されず、さらに所定の時間内に操作部に映像ソースを選択する操作がなされなかった場合、制御部は、映像信号補正部により探索画面を閉じさせるとともに、記憶部に記憶されている初期入力端子を入力セレクタにより選択させることから、映像表示装置は、探索動作が終了して、映像信号が全く確認されなかった場合、所定の時間が経過すると、自動的に初期設定の状態に戻る。
よって、映像表示装置は、探索画面を閉じること、および初期設定の状態に戻ることにより、探索動作が終了したことを明確に使用者に視認させることができる。また、この状態で、再度、探索操作を行った場合、同様に初期設定の状態に戻ることから、使用者に、映像を表示させるためには、映像ソースへの映像信号出力操作などの何らかの操作が必要であるという自覚を促すことができる。
【００２０】
本発明に係る映像表示装置によれば、探索操作がなされる前に入力セレクタが選択していた初期入力端子に映像信号が入力されていた場合、制御部は、操作部へ探索操作がなされると、各部による探索操作に応じた動作に先立って、映像信号補正部により初期入力端子に対応する映像ソース名と、映像信号の入力が有る旨の表示を含んだ探索画面を表す映像信号を生成させることが好ましい。
【００２１】
この構成によれば、初期入力端子に映像信号が入力されていた場合、制御部は、操作部へ探索操作がなされると、各部による探索操作に応じた動作に先立って、映像信号補正部により初期入力端子に対応する映像ソース名と、映像信号の入力が有る旨の表示を含んだ探索画面を表す映像信号を生成させることから、映像表示装置は、初期入力端子に映像信号が入力されていた場合であっても、その旨を探索画面に表示した上で、さらに映像信号を供給している他の映像ソースを探索する。
従って、本発明の映像表示装置によれば、初期入力端子に映像信号が入力されていた場合であっても、その旨を探索画面に表示した上で、さらに映像信号を供給している他の映像ソースを探索することができる。
【００２２】
本発明に係る映像表示装置によれば、初期入力端子以外の入力端子に映像信号の入力がなかった場合、制御部は、入力セレクタにより初期入力端子を選択させるとともに、映像信号補正部により初期入力端子から入力される映像信号による映像より小さな探索画面を初期入力端子から入力する映像信号に所定の時間重畳させることが好ましい。
【００２３】
この構成によれば、初期入力端子以外の入力端子に映像信号の入力がなかった場合、制御部は、入力セレクタにより初期入力端子を選択させるとともに、映像信号補正部により初期入力端子から入力される映像信号による映像より小さな探索画面を初期入力端子から入力する映像信号に所定の時間重畳させることから、映像表示装置は、探索動作が終了し、初期入力端子から入力される映像信号による映像を背景として、その中に探索画面を所定の時間表示する。
よって、映像表示装置は、背景の入力端子からの映像信号による映像により、初期入力端子に対応する映像ソースから映像信号が入力されていることを使用者に視認させながら、探索画面を表示することができる。さらに所定の時間が経過すると、探索画面の重畳が終了するため、初期入力端子から入力される映像信号による映像のみを表示することができる。
【００２４】
本発明に係る映像表示装置は、映像信号にて表される映像を表示部に表示する映像表示装置であって、複数の映像ソースから供給される映像信号を、映像信号ごとに入力するための複数の入力端子と、複数の入力端子から所定の入力端子を選択する入力セレクタと、入力セレクタにより選択された入力端子に、映像信号が入力されているか否か識別する識別部と、複数の入力端子ごとに前記映像信号が入力されているか否か探索するための探索操作を受け付ける操作部と、各入力端子に対応する映像ソース名ごとの探索状態を示す探索画面を映像信号として生成する映像信号補正部と、操作部への探索操作に応じて、少なくとも表示部に探索画面を表す映像信号による表示をさせる制御部と、を備え、制御部は、操作部への探索操作がなされると、入力セレクタにより入力端子を順番に選択させるとともに、選択された入力端子ごとに識別部により映像信号の入力の有無を確認させ、確認した入力端子ごとの映像信号の有無を示す表示を映像信号補正部により探索画面に順次追加し、全ての入力端子における映像信号の有無を確認することを特徴とする。
【００２５】
この構成によれば、制御部は、操作部への探索操作がなされると、入力セレクタにより入力端子を順番に選択させるとともに、選択された入力端子ごとに識別部により映像信号の入力の有無を確認させ、確認した入力端子ごとの映像信号の有無を示す表示を映像信号補正部により探索画面に順次追加し、全ての入力端子における映像信号の有無を確認することから、映像表示装置は、入力端子ごとの映像信号の有無を逐次探索画面に追加表示しながら、全ての入力端子における映像信号の有無を確認し、探索画面に一覧表示する。
よって、映像表示装置は、使用者に対して映像信号の確認状況を映像ソースごとに逐次視認させることができ、さらに全ての入力端子における映像信号の有無を一覧表示した探索画面により、探索結果を効率的に知らしめることができる。また、全ての映像ソースにおける映像信号の有無が探索画面により一覧表示されるため、映像信号が有る映像ソースが複数確認された場合、使用者は、その中から所望の映像ソースを選択することができるので、当該映像表示装置は、利便性が高い。
従って、本発明の映像表示装置は、映像信号を出力している映像ソースを効率的に探索できるとともに、全ての映像ソースから映像信号が入力されていない場合であっても、そのことを使用者に視認させることができる。
【００２６】
本発明に係る映像表示装置によれば、全ての入力端子における映像信号の有無確認を行った後、所定の時間内に操作部に映像ソースを選択する操作がなされなかった場合、制御部は、映像信号補正部により探索画面を閉じさせるとともに、最初に映像信号が確認された入力端子を入力セレクタにより選択させることが好ましい。
【００２７】
この構成によれば、全ての入力端子における映像信号の有無確認を行った後、所定の時間内に操作部に映像ソースを選択する操作がなされなかった場合、制御部は、映像信号補正部により探索画面を閉じさせるとともに、最初に映像信号が確認された入力端子を入力セレクタにより選択させることから、映像表示装置は、探索画面を閉じるとともに、最初に映像信号が確認された入力端子に対応する映像ソースからの映像信号による映像を表示する。
従って、本発明の映像表示装置は、映像信号を出力している映像ソースを効率的に探索し、自動的に当該映像ソースからの映像信号による映像を表示することができる。
【００２８】
本発明に係る映像表示装置によれば、識別部による選択された入力端子ごとの映像信号の有無確認がなされている間、制御部は、映像信号補正部により探索画面に映像信号を探索中である旨の表示を重畳させることが好ましい。
【００２９】
この構成によれば、識別部による選択された入力端子ごとの映像信号の有無確認がなされている間、制御部は、映像信号補正部により探索画面に映像信号を探索中である旨の表示を重畳させることから、映像表示装置は、識別部により選択された入力端子ごとの映像信号の有無確認がなされている間、探索画面に映像信号を探索中である旨の表示を重畳させる。
従って、本発明の映像表示装置によれば、使用者に映像信号を探索中であることを視認させることができる。これにより、動作がフリーズしてしまったのではないかという不安を使用者に与えてしまうことを防止できる。
【００３０】
本発明に係る映像表示装置によれば、探索画面が閉じられ、探索操作に応じた各部の動作または、操作部への選択操作によって入力セレクタが選択した入力端子に、映像信号が入力されていない場合、制御部は、映像信号補正部により選択された映像ソース名と、映像信号が入力されていない旨を示す画面を表す映像信号を生成させ、表示部に表示させることが好ましい。
【００３１】
この構成によれば、探索動作が終了した後に、入力セレクタが選択している入力端子に、映像信号が入力されていない場合、制御部は、映像信号補正部により選択された映像ソース名と、映像信号が入力されていない旨を示す画面を表す映像信号を生成させ、表示部に表示させることから、映像表示装置は、探索動作が終了し探索画面が閉じられた後、選択している映像ソースに映像信号が入力されていない旨を示す画面を表示する。
従って、本発明の映像表示装置は、探索動作が終わって入力端子が選択された後、当該入力端子に映像信号が入力されていないことを使用者に視認させることができる。これにより、使用者に、映像を表示させるためには、映像ソースへの映像信号出力操作などの何らかの操作が必要であるという自覚を促すことができる。
【００３２】
本発明に係るプロジェクタによれば、前記映像表示装置は、光源部が発する光を光変調素子により映像信号に応じた変調光に変調し、変調光を投写レンズにより拡大して投写するプロジェクタであることが好ましい。
【００３３】
プロジェクタは、投写レンズにより拡大された大きな映像が得られるため、ＰＣ（パーソナルコンピュータ）を用いたプレゼンテーションや、ＤＶＤによる映画鑑賞などに多用されている。このような用途において、プロジェクタに接続される映像ソースは、ＰＣとＤＶＤプレーヤのみというように、少数のことが多い。このため、プロジェクタの使用者から、「映像信号を供給している映像ソースを素早く選択したい。」、または、「映像ソースから映像信号が出力されているか確認したい。」というニーズがある。
よって、前記映像表示装置としてプロジェクタは、好適である。
従って、映像信号を出力している映像ソースを効率的に探索できるとともに、全ての映像ソースから映像信号が入力されていない場合であっても、そのことを使用者に認識させることができるプロジェクタを提供することができる。
【００３４】
本発明の映像ソースの探索支援方法は、一の映像ソースに基づく表示がなされている場合に、使用者による映像ソース探索開始操作を受け付けて、当該映像表示装置で表示可能な映像ソースの一覧を含む探索画面（「映像ソース一覧画面」ともいう）を表示する第１ステップと、当該映像表示装置で表示可能な映像ソースのうち一の映像ソース以外の残りの映像ソースについて、映像信号が検出されるまで所定の順番で映像信号の有無を検出する手順を実行する第２ステップとを有する映像ソースの探索支援方法であって、第２ステップにおいては、映像信号が検出された場合には当該映像ソースに基づく表示を開始し、一度も映像信号が検出されなかった場合には映像信号が検出されなかった旨の情報を探索画面に表示することを特徴とする。
【００３５】
このため、本発明の映像ソースの探索支援方法によれば、すべての映像ソースが使用不可である場合には、一度も映像信号が検出されないため、映像信号が検出されなかった旨の情報が探索画面に表示されることになる。その結果、すべての映像ソースが使用不可である場合には、そのことが使用者に認識可能となり、本発明の第１の目的が達成される。
【００３６】
なお、本発明の映像ソースの探索支援方法においては、第１ステップで「一の映像ソースに基づく表示がなされている」場合には、一の映像ソースからの映像信号に基づく表示が行われている場合のほか、一の映像ソースから映像信号が入力されていないために「映像信号が入力されていません」などのようなメッセージ画面が表示されている場合も含む。
【００３７】
本発明の映像ソースの探索支援方法においては、映像信号の有無についての情報を記憶しておき、探索画面を表示する際には、映像信号の有無についての情報を映像ソース毎に表示することが好ましい。
【００３８】
このような方法とすることにより、探索中又は探索後を問わず、映像信号の有無についての情報が映像ソース毎に探索画面に表示されるようになるため、どの映像信号ソースから映像信号がきているのかについて確認できるようになり、利便性が高まる。
【００３９】
本発明の映像ソースの選択支援方法においては、前記第２ステップで一度も映像信号が検出されなかった場合に、使用者が探索画面から特定の映像ソースを選択した場合には、前記特定の映像ソースに基づく表示を開始することが好ましい。
【００４０】
このような方法とすることにより、探索画面から特定の映像ソースを選択することにより、スタンバイ状態の映像ソースを選択することが可能となり、本発明の第２の目的が達成される。
【００４１】
本発明の映像ソースの選択支援方法においては、前記第２ステップで一度も映像信号が検出されなかった場合に、使用者が退避操作を行った場合又は使用者が所定期間内に何も操作しなかった場合には、前記一の映像ソースに基づく表示を開始することが好ましい。
【００４２】
映像ソースの探索は、映像表示装置のスイッチを入れたときに又は映像表示装置で一の映像ソースを表示させているときに行うのが通常である。このため、後者の場合に、上記のような方法を行うことにより、使用者が退避操作を行ったり使用者が所定期間内に何も操作しなかったりした場合には、画面を初期画面に戻すことができるため、映像表示装置を使い勝手の良いものにすることができる。
【００４３】
本発明の映像ソースの探索支援方法においては、前記第２ステップで一度も映像信号が検出されなかった場合には、探索画面の背景に前記一の映像を表示することが好ましい。
【００４４】
上記したように、映像ソースの探索は、映像表示装置のスイッチを入れたときに又は映像表示装置で一の映像ソースを表示させているときに行うのが通常である。このため、後者の場合に、上記のような方法を行うことにより、第２ステップで一度も映像信号が検出されなかった場合には、探索画面の背景に初期画面が表示されるため、映像表示装置を使い勝手の良いものにすることができる。
【００４５】
本発明の映像ソースの探索支援方法においては、前記第２ステップで映像信号の有無を出している期間には、検出している映像ソースに関する情報及び映像信号の有無を検出中である旨の情報を探索画面に表示することが好ましい。
【００４６】
このような方法とすることにより、映像信号の有無の検出中には、検出している映像ソースに関する情報及び映像信号の有無を検出中である旨の情報が探索画面に表示されるため、使用者に探索中である旨の情報が確実に伝わり、映像表示装置を使い勝手の良いものにすることができる。
【００４７】
本発明の映像ソースの探索支援プログラムは、映像信号にて表される映像を表示する映像表示装置が行う映像ソースの探索支援プログラムであって、一の映像ソースに基づく表示がなされている場合に、使用者による映像ソース探索開始操作を受け付けて、当該映像表示装置で表示可能な映像ソースの一覧を含む探索画面を表示する第１ステップと、当該映像表示装置で表示可能な映像ソースのうち一の映像ソース以外の残りの映像ソースについて映像信号が検出されるまで所定の順番で映像信号の有無を検出する手順を実行するとともに、映像信号が検出された場合には当該映像ソースに基づく表示を開始し、一度も映像信号が検出されなかった場合には映像信号が検出されなかった旨の情報を探索画面に表示する第２ステップとを実行させる手順を有することを特徴とする。
【００４８】
このため、本発明の映像ソースの探索支援プログラムを映像表示装置に用いることとすれば、すべての映像ソースが使用不可である場合には、一度も映像信号が検出されないため、映像信号が検出されなかった旨の情報が探索画面に表示されるようになる。その結果、すべての映像ソースが使用不可である場合には、そのことが使用者に認識可能となる。
【００４９】
本発明の映像表示装置は、一の映像ソースに基づく表示がなされている場合に、使用者による映像ソース探索開始操作を受け付けて、当該映像表示装置で表示可能な映像ソースの一覧を含む探索画面を表示する第１機能と、当該映像表示装置で表示可能な映像ソースのうち前記一の映像ソース以外の残りの映像ソースについて映像信号が検出されるまで所定の順番で映像信号の有無を検出する手順を実行するとともに、映像信号が検出された場合には当該映像ソースに基づく表示を開始し、一度も映像信号が検出されなかった場合には映像信号が検出されなかった旨の情報を探索画面に表示する第２機能とを有することを特徴とする。
【００５０】
このため、本発明の映像表示装置によれば、すべての映像ソースが使用不可である場合には、一度も映像信号が検出されないため、映像信号が検出されなかった旨の情報が探索画面に表示されるようになる。その結果、すべての映像ソースが使用不可である場合には、そのことが使用者に認識可能となる。
【発明を実施するための最良の形態】
【００５１】
以下、添付図面に基づいて、本発明の実施形態を詳細に説明する。
【００５２】
（実施形態１）
《プロジェクタの構成》
図１は、本発明の映像表示装置としてのプロジェクタの概略構成を示すブロック図である。以下、プロジェクタ１００の概略構成について、図１を用いて説明する。
プロジェクタ１００は、光源としてのランプ５１が放射した白色光を、赤色光、青色光、緑色光の光の３原色成分に分離し、各色光毎に表示部としての各色光用の液晶ライトバルブ５２Ｒ，５２Ｇ，５２Ｂにより映像ソースから供給される映像信号に応じて変調し、再度合成したフルカラーの変調光を投写レンズ６５によりスクリーンＳＣに拡大投写する、いわゆる「液晶３板式プロジェクタ」である。
なお、液晶ライトバルブ５２Ｒ，５２Ｇ，５２Ｂは、光変調素子であり、それぞれが赤色光、緑色光、青色光用として設けられ、光学部６４の構成に含まれている。
【００５３】
プロジェクタ１００は、ランプ５１、操作部５３、リモコン５４、操作受付け部５５、入力端子Ｔ１〜Ｔ４、入力セレクタ５６、識別部５７、映像コンバータ５８、映像信号処理部５９、フレームメモリ６０、映像信号補正部６１、ＯＳＤメモリ６２、液晶パネル駆動部６３、光学部６４、投写レンズ６５、制御部６６、記憶部６７、電源部６８、ランプ駆動部６９などから構成されている。
ランプ５１は、例えば、高圧水銀ランプや、メタルハライドランプ及びハロゲンランプなどの高輝度が得られる放電式ランプである。
【００５４】
操作部５３は、プロジェクタ１００の本体上面に設けられており、プロジェクタ１００を操作するための複数の操作用ボタンを備えている。複数の操作用ボタンには、プロジェクタ１００を起動およびシャットダウンするための「電源ボタン」や、映像信号を供給している映像ソースを探索するための「映像探索ボタン」、所望の映像ソースを選択するための映像ソースごとの「ソース選択ボタン」（いずれも図示せず）などが含まれている。
操作部としてのリモコン５４は、プロジェクタ１００を遠隔操作するためのリモコンであり、操作部５３と同様のプロジェクタ１００を操作するための複数の操作用ボタンを備えている。
操作受付け部５５は、操作部５３あるいはリモコン５４への操作がなされると、当該操作を受付け、制御部６６へ各種動作のトリガとなる操作信号を送る。
【００５５】
入力端子Ｔ１〜Ｔ４は、複数の映像ソースとしての外部電子機器ＰＣ１，ＰＣ２，ＤＶ，ＶＩから供給される映像信号を、映像信号ごとにプロジェクタ１００に入力するための入力端子である。
入力端子Ｔ１，Ｔ２は、例えば、ミニＤ-sub１５ピン端子であり、パーソナルコンピュータＰＣ１，ＰＣ２から供給されるアナログＲＧＢ信号に対応している。また、ミニＤ-sub１５ピン端子の持つ１５ピンの信号線の使用割り当てを変えることにより、コンポーネント信号も入力することができる。
入力端子Ｔ３は、例えば、Ｓ端子であり、ＤＶＤプレーヤＤＶや、Ｓビデオプレーヤなどから供給されるＳ信号に対応している。
入力端子Ｔ４は、例えば、１ＲＣＡ端子であり、ビデオプレーヤＶＩや、ＴＶチューナなどから供給されるコンポジット信号に対応している。
プロジェクタ１００の入力端子としては、上記の映像入力端子の他に、音声信号を入力するための、例えば、ステレオミニジャックなどの音声入力端子や、外部のＰＣとプロジェクタ１００との間で各種の情報のやり取りを行うためのＵＳＢ端子、ＲＳ２３２Ｃ端子などが設けられているが、説明を簡単にするため図示を省略している。
【００５６】
以下、外部電子機器ＰＣ１，ＰＣ２，ＤＶ，ＶＩのことを、映像ソース名での表現も交えながら説明する。
具体的には、パーソナルコンピュータＰＣ１，ＰＣ２のことを、映像ソース名では、「Computer 1」，「Computer 2」と表現する。同様に、ＤＶＤプレーヤＤＶを「S-Video」、ビデオプレーヤＶＩを「Video」と表現する。
入力セレクタ５６は、入力端子Ｔ１〜Ｔ４の選択スイッチであり、制御部６６からの選択信号に従い、４つの入力端子の内、いずれか１つを選択する。これにより、選択された入力端子に対応する映像ソースが、映像信号Vinを供給している場合、プロジェクタ１００は、当該映像信号Vinによる映像を投写する。
プロジェクタ１００の出荷段階におけるデフォルトの映像ソースは、「Computer 1」となっている。プロジェクタ１００が起動した後、例えば、リモコン５４の「映像探索ボタン」を操作すると、入力セレクタ５６は、入力端子Ｔ１〜Ｔ４を順番に選択することにより、映像ソースを、「Computer 1」，「Computer 2」，「S-Video」，「Video」の順番で切替える。
また、プロジェクタ１００のシャットダウン時には、シャットダウンの時点で選択されていた映像ソース情報が記憶部６７に記憶され、次回起動時において再現される。
【００５７】
識別部５７は、例えば、コンパレータであり、入力セレクタ５６により選択されている映像ソースから映像信号Vinが供給されているか否かを、映像信号Vinに含まれている同期信号の有無を確認することにより、識別し、映像信号Vinの入力の有無を伝える識別信号を制御部６６に送る。
映像コンバータ５８は、アナログ映像信号VinをＡ／Ｄ変換し、デジタル映像信号Dinとして出力する。これは、映像信号Vinに各種の映像信号処理を施すために行なわれる。また、デコーダを内蔵している。
具体的には、映像コンバータ５８は、映像信号Vinが映像ソース「Computer 1」，「Computer 2」のアナログＲＧＢ信号の場合は、そのままＡ／Ｄ変換処理を含む映像信号処理を施す。映像信号Vinが映像ソース「S-Video」のＳ信号または、「Video」のコンポジット信号の場合は、内蔵するデコーダにより、コンポーネント信号に変換してからＡ／Ｄ変換処理を含む映像信号処理を施す。
【００５８】
映像信号処理部５９は、映像信号Dinを、液晶ライトバルブ５２Ｒ，５２Ｇ，５２Ｂで表示するのに適した信号とするために、映像データをフレームメモリ６０に書き込み、所定の条件で読み出すなどの映像信号処理を行う。映像信号処理には、映像信号Dinで表される映像を拡大および縮小することにより液晶ライトバルブ５２Ｒ，５２Ｇ，５２Ｂの持つ解像度に合わせるスケーリング処理や、１秒間における描画更新回数を示すフレームレート変換などが含まれる。映像信号Dinは、このような映像信号処理が施され、デジタル映像信号Dscとして出力される。
映像信号補正部６１は、映像信号Dscの有する階調値を液晶ライトバルブ５２Ｒ，５２Ｇ，５２Ｂで表示するのに適した階調値に変換するγ補正や、液晶ライトバルブ５２Ｒ，５２Ｇ，５２Ｂに固有の輝度むらなどに起因する色むら補正処理を施し、さらにＤ／Ａ変換を施したアナログ映像信号Voutを出力する。
【００５９】
また、映像信号補正部６１は、例えば、映像信号Vinにて表される映像に、映像ソース名を重畳させるというような、ＯＳＤ（On-Screen Display）機能を司る。映像信号補正部６１は、制御部６６からのＯＳＤ信号に従い、ＯＳＤメモリ６２から、例えば、「映像ソース名」や、映像ソースの「探索画面」を読み出し、映像信号Dscに重畳する。
映像信号補正部６１は、映像信号Vinが入力されていない場合、例えば、青色ベタの画面に「映像ソース名」と、「映像信号が入力されていません」という文字が表された「スタンバイ画面」をＯＳＤメモリ６２から読み出し、「スタンバイ画面」を表す映像信号Voutを生成して出力する。
ＯＳＤメモリ６２は、不揮発性のメモリであり、「映像ソース名」や、映像ソースの「探索画面」の各種態様、「スタンバイ画面」など、ＯＳＤに用いられるプロジェクタの操作状態を示す画面や各種文字パターンなどを記憶している。
【００６０】
液晶パネル駆動部６３は、液晶ドライバであり、液晶ライトバルブ５２Ｒ，５２Ｇ，５２Ｂに映像信号Voutと、駆動電圧などを供給し、液晶ライトバルブ５２Ｒ，５２Ｇ，５２Ｂに映像を写し出す。
光学部６４は、ランプ５１が放射する白色光を輝度分布の安定した略平行光に変換するインテグレータ光学系と、輝度分布の安定した白色光を光の３原色である赤色、緑色、青色の各色光成分に分離して各色光用の液晶ライトバルブ５２Ｒ，５２Ｇ，５２Ｂに供給する分離光学系（いずれも図示せず）と、液晶ライトバルブ５２Ｒ，５２Ｇ，５２Ｂにて各色光毎に映像信号Voutに応じて変調された各色光を、再度合成する合成光学系とを含んで構成されている。
液晶ライトバルブ５２Ｒ，５２Ｇ，５２Ｂからの各色光毎の変調光は、青色光を反射し緑色光を透過するダイクロイック膜７１と、赤色光を反射し緑色光を透過するダイクロイック膜７２と、を備える合成光学系としてのクロスダイクロイックプリズム７３により合成され、映像信号Voutに応じて変調されたフルカラーで略平行光の変調光として射出される。
【００６１】
投写レンズ６５は、凸レンズなどから構成されており、クロスダイクロイックプリズム７３からの変調光を拡大して投写光とし、スクリーンＳＣに映像を投写する。投写レンズ６５は、投写光の拡大率を調整するズーム機能や、投写光の焦点を調整するフォーカス機能を有している。
制御部６６は、ＣＰＵ（Central Processing Unit）であり、バスラインＢusを介して、各部との信号のやり取りを行い、また、操作受付け部５５からの操作信号などに沿って各部の動作を制御する。
記憶部６７は、例えば、フラッシュメモリなどデータの書き換えが可能な不揮発性のメモリにより構成されている。記憶部６７には、プロジェクタ１００の動作を指示および制御するための様々な制御プログラムや、ファームウエア、および付随するデータが記憶されている。
制御プログラムには、映像信号を供給している映像ソースを探索するための探索支援プログラムとしての「映像探索プログラム」が含まれている。付随するデータとしては、例えば、「映像探索プログラム」を実行するまえに入力セレクタが選択していた入力端子名などが含まれる。
【００６２】
電源部６８は、外部電源８０からの交流電力をプラグから導き、内蔵するＡＣ／ＤＣ変換部（いずれも図示せず）にて変圧、整流および平滑するなどの処理を施すことにより安定化させた直流電圧をプロジェクタ１００の各部に供給する。
ランプ駆動部６９は、電源部６８からの電力供給を受け、放電式ランプであるランプ５１を点灯するために高電圧を発生して放電経路を形成するイグナイタ回路と、点灯後の安定した点灯状態を維持するためのバラスト回路（いずれも図示せず）を備えている。
【００６３】
《第１の映像ソース探索態様》
図２は、実施形態１に係る映像ソースの探索支援方法を示したフローチャートである。図３〜図１０は、実施形態１における表示画面の一例を示す図である。
ここでは、図２を中心に、適宜図１、および図３〜図１０を参照しながら、プロジェクタ１００における映像ソースの探索の一態様について説明する。
【００６４】
実施形態１に係る映像ソースの探索支援方法は、プロジェクタ１００を起動した後、映像ソースの探索を行う場合を想定した映像ソースの探索支援方法である。
なお、実施形態１に係る映像ソースの探索支援方法においては、プロジェクタ１００の電源スイッチを入れたときには、入力端子Ｔ１に対応する映像ソース「Computer 1」に基づく表示が行われるものとする。また、このとき、映像ソース「Computer 1」からは映像信号が出力されていないものとする。
実施形態１に係る映像ソースの探索支援方法は、図２に示すように、第１ステップＳ１０と第２ステップＳ２０とを有している。
リモコン５４の「電源ボタン」の操作がなされたため、操作受付け部５５から制御部６６へ操作信号が送られる。操作信号を受信した制御部６６は、各部を起動させ、初期化を行う。制御部６６は、入力セレクタ５６により、デフォルトの入力端子である入力端子Ｔ１を選択させる。
【００６５】
ステップＳ１１では、制御部６６は、識別部５７からの識別信号により、入力端子Ｔ１に対応する映像ソース「Computer 1」から映像信号が入力されていないことから、映像信号補正部６１により、図３の「スタンバイ画面」を表す映像信号を生成させ、当該映像を投写させる。「スタンバイ画面」には、「映像信号が入力されていませんという」メッセージが表示されている。
ステップＳ１２では、制御部６６は、リモコン５４の「映像探索ボタン」の操作がなされたことによる操作受付け部５５からの操作信号を受信し、記憶部６７の「映像探索プログラム」を実行する。以下の各ステップにおける各部の動作は、「映像探索プログラム」に準じたものである。また、制御部６６は、映像探索操作がなされた時点で、入力セレクタ５６が選択している入力端子を、初期入力端子として記憶部６７に記憶する。
ステップＳ１３では、制御部６６は、映像信号補正部６１により、図４に示す「探索画面」を表す映像信号を生成させ、当該映像を投写させる。図４の「探索画面」では、映像ソース「Computer 1」からは、映像信号が入力されていないことを示す「無し」というメッセージが表示されている。
以上説明した、ステップＳ１１〜Ｓ１３までが、第１ステップＳ１０に相当する。
【００６６】
ステップＳ２１では、制御部６６は、入力セレクタ５６が選択している入力端子の次の選択順番の入力端子を選択させる。入力端子の選択順番は、「入力端子Ｔ１」→「入力端子Ｔ２」→「入力端子Ｔ３」→「入力端子Ｔ４」→「入力端子Ｔ１」…というように循環する。
ステップＳ２２では、制御部６６は、ステップＳ２１で選択された入力端子に対応する映像ソースからの映像信号の有無を識別部５７により確認させる。映像信号の入力があった場合、ステップＳ２７へ進む。映像信号の入力がなかった場合、ステップＳ２３へ進む。
また、各ステップにおいて、制御部６６は、映像信号補正部６１により「探索画面」を探索状態に合わせて逐次更新させる。
図５の「探索画面」は、入力端子Ｔ２に対応する映像ソース「Computer 2」からの映像信号の有無を確認している画面である。当該画面には、「映像信号を探索中である旨」のメッセージが表示されている。また、図６の「探索画面」は、入力端子Ｔ４に対応する映像ソース「Video」からの映像信号の有無を確認している画面であり、図５と同様に、「映像信号を探索中である旨」のメッセージが表示されている。
【００６７】
ステップＳ２３では、制御部６６は、入力端子Ｔ１〜Ｔ４の全てについて、映像信号の探索を行ったか確認する。全ての入力端子についての探索が終わった場合、ステップＳ２４へ進む。まだ探索していない入力端子がある場合、ステップＳ２１へ戻る。
ステップＳ２４では、制御部６６は、映像信号補正部６１により、図７の「探索画面」を表す映像信号を生成させ、当該映像を投写させる。図７の「探索画面」は、全ての映像ソースから映像信号の入力が無かったことを表している。また、「映像信号が検出されなかったため、手動で映像ソースを選択して下さい」というメッセージが表示されている。
ステップＳ２５では、制御部６６は、所定の時間内に操作部５３またはリモコン５４の「ソース選択ボタン」の操作がなされたかどうか、操作受付け部５５からの操作信号の有無により確認する。映像ソースを選択する操作信号があった場合、ステップＳ２６へ進む。映像ソースを選択する操作信号が無かった場合、ステップＳ２８へ進む。ちなみに、所定の時間は、約１０秒間である。
ステップＳ２６では、制御部６６は、映像信号補正部６１により「探索画面」を閉じさせるとともに、ステップＳ２５で選択された映像ソースに対応する入力端子を、入力セレクタ５６により選択する。
【００６８】
続いて、ステップＳ２２で、映像信号の入力があった場合について説明する。
ステップＳ２７では、制御部６６は、映像信号補正部６１により「探索画面」を閉じさせるとともに、ステップＳ２２で映像信号の入力が確認された入力端子に入力する映像信号により映像を投写する。例えば、図８は、入力端子Ｔ２において映像信号が検出された場合の画面を表している。なお、映像ソース「Computer 2」による画面は、簡略のためにドット模様で表している。
続いて、ステップＳ２５で、映像ソースを選択する操作が無かった場合について説明する。
ステップＳ２８では、制御部６６は、所定の時間内に映像ソースを選択する操作が無かったため、映像信号補正部６１により「探索画面」を閉じさせるとともに、記憶部６７から初期入力端子の情報を読み出し、入力セレクタ５６により当該入力端子を選択させる。
図９は、この状態の画面を表しており、図３の「スタンバイ画面」と同様の画面が表示されている。なお、例えば、初期入力端子が入力端子４であった場合、図１０に示すような画面が表示される。
以上説明した、ステップＳ２２〜Ｓ２８までが、第２ステップＳ２０に相当する。
【００６９】
上述した通り、本実施形態によれば以下の効果が得られる。
（１）制御部６６は、リモコン５４へ探索操作がなされると、入力セレクタ５６により入力端子Ｔ１〜Ｔ４を順番に選択させるとともに、識別部５７により選択された入力端子ごとに映像信号の入力の有無を確認させ、確認した入力端子に映像信号が入力されていない場合、その旨を示す表示を映像信号補正部６１により探索画面に追加することから、プロジェクタ１００が投写する探索画面には、探索された入力端子ごとの映像信号の有無を表す表示が探索状況に応じて逐次追加される。
よって、映像ソースごとの映像信号の供給状況を、リアルタイムでプロジェクタ１００の使用者に視認させることができる。また、全ての映像ソースから映像信号が入力されていない場合であっても、そのことを探索画面により視認させることができる。
【００７０】
さらに、制御部６６は、映像信号が入力された入力端子が確認された場合、映像信号補正部６１により探索画面を閉じさせるとともに、映像信号の入力が確認された入力端子からの映像信号による映像を投写させることから、プロジェクタ１００は、映像信号の入力が確認されると、探索画面を閉じて、当該入力端子に対応する映像ソースからの映像信号にて表される映像を投写する。
よって、プロジェクタ１００は、映像ソースの探索が終了したことを使用者に視認させるとともに、映像信号を出力している映像ソースを効率良く探索することができる。
従って、プロジェクタ１００は、映像信号を出力している映像ソースを効率的に探索できるとともに、全ての映像ソースから映像信号が入力されていない場合であっても、そのことを使用者に認識させることができる。さらに、簡便な１回の探索操作により、映像ソースごとの映像信号の状態を表示し、さらに映像信号が確認されると自動的に対応する映像ソースに接続されるので、使い勝手が良いプロジェクタ１００を提供することができる。
【００７１】
（２）探索画面から映像ソースを選択する操作がなされると、制御部６６は、映像信号補正部６１により探索画面を閉じさせるとともに、選択された映像ソースに対応する入力端子を入力セレクタ５６に選択させることから、プロジェクタ１００は、映像信号が入力されている入力端子が一つも確認されなかった場合であっても、探索画面から選択操作された映像ソースに対応する入力端子を選択する。
従って、プロジェクタ１００は、スタンバイ状態の映像ソースを選択することができる。
【００７２】
（３）映像信号が入力されている入力端子が一つも確認されず、さらに所定の時間内に操作部に映像ソースを選択する操作がなされなかった場合、制御部６６は、映像信号補正部６１により探索画面を閉じさせるとともに、記憶部６７に記憶されている初期入力端子を入力セレクタ５６により選択させることから、プロジェクタ１００は、探索動作が終了して、映像信号が全く確認されなかった場合、所定の時間が経過すると、自動的に初期設定の状態に戻る。
従って、プロジェクタ１００は、探索画面を閉じること、および初期設定の状態に戻ることにより、探索動作が終了したことを明確に使用者に視認させることができる。また、この状態で、再度、探索操作を行った場合、同様に初期設定の状態に戻ることから、使用者に、映像を表示させるためには、映像ソースへの映像信号出力操作などの何らかの操作が必要であるという自覚を促すことができる。
【００７３】
（４）識別部５７による選択された入力端子ごとの映像信号の有無確認がなされている間、制御部６６は、映像信号補正部６１により探索画面に映像信号を探索中である旨の表示を重畳させることから、プロジェクタ１００は、識別部５７により選択された入力端子ごとの映像信号の有無確認がなされている間、映像信号を探索中である旨の表示を含んだ探索画面を投写する。
従って、プロジェクタ１００は、使用者に映像信号を探索中であることを視認させることができる。これにより、動作がフリーズしてしまったのではないかという不安を使用者に与えてしまうことを防止できる
【００７４】
（５）探索動作が終了した後に、入力セレクタ５６が選択している入力端子に、映像信号が入力されていない場合、制御部６６は、映像信号補正部６１により選択された映像ソース名と、映像信号が入力されていない旨を示す画面を表す映像信号を生成させることから、プロジェクタ１００は、探索動作が終了し探索画面が閉じられた後、選択している映像ソースに映像信号が入力されていない旨を示す画面を表示する。
従って、プロジェクタ１００は、探索動作が終わって入力端子が選択された後、当該入力端子に映像信号が入力されていないことを使用者に視認させることができる。これにより、使用者に、映像を表示させるためには、映像ソースへの映像信号出力操作などの何らかの操作が必要であるという自覚を促すことができる。
【００７５】
（６）第１ステップとしてのステップＳ１０では、一の映像ソースに基づく表示がなされている場合に、使用者による映像ソース探索開始操作を受け付けて、プロジェクタ１００で表示可能な映像ソースの一覧を含む探索画面を表示し、第２ステップとしてのステップＳ２０では、プロジェクタ１００で表示可能な映像ソースのうち、一の映像ソース以外の残りの映像ソースについて、映像信号が検出されるまで所定の順番で映像信号の有無を検出する手順を実行する。
さらに、第２ステップとしてのステップＳ２０では、映像信号が検出された場合には当該映像ソースに基づく表示を開始し、一度も映像信号が検出されなかった場合には映像信号が検出されなかった旨の情報を探索画面に表示することから、プロジェクタ１００が行う映像ソースの探索支援方法によれば、すべての映像ソースが使用不可である場合には、一度も映像信号が検出されないため、映像信号が検出されなかった旨の情報が探索画面に表示される。
【００７６】
よって、プロジェクタ１００の映像ソースの探索支援方法によれば、すべての映像ソースが使用不可である場合には、その旨を使用者に視認させることができる。また、当該探索支援方法は、プロジェクタ１００が、「映像探索プログラム」を実行することにより実現される。
従って、すべての映像ソースが使用不可である場合には、その旨を使用者に視認させることができる「映像探索プログラム」を提供することができる。
【００７７】
（実施形態２）
《第２の映像ソース探索態様》
図１１〜図１３は、実施形態２における表示画面の一例を示す図である。図１１は実施形態１における図３に対応する図であり、図１２は実施形態１における図７に対応する図であり、図１３は実施形態１における図９に対応する図である。
実施形態２に係る映像ソースの探索支援方法は、プロジェクタ１００を使用中に、使用中の映像ソースとは異なる他の映像ソースの探索を行うときを想定した映像ソースの探索支援方法である。
プロジェクタの構成および、記憶部６６に記憶されている制御プログラムなどは、実施形態１のプロジェクタ１００と同様である。
ここでは、図２を中心にして、適宜図１および、図１１〜１３などを用いて、実施形態１での説明との相違点についてのみ説明する。
【００７８】
ステップＳ１１において、初期画面として映像ソース「Computer 1」からの映像信号による図１１に示すような映像が表示されている。なお、映像ソース「Computer 1」による映像は、簡略のためにドット模様で表している。
ステップＳ１３において、制御部６６は、映像信号補正部６１により初期入力端子に対応する映像ソース名と、映像信号の入力が有る旨の表示を含んだ探索画面表す映像信号を生成させ、当該映像を投写させる。
ステップＳ２４において、図１２に示すように「探索画面」の背景に映像ソース「Computer 1」の映像が表示されている。「探索画面」は、映像ソース「Computer 1」からの映像信号により表される映像よりも小さく設定されている。
ステップＳ２５において、所定の時間内に映像ソースの選択操作がなされなかった場合、図１３に示すようにステップＳ２８において、映像ソース「Computer 1」の画面が表示される。
実施形態２に係る映像ソースの探索支援方法は、上記以外の点については、実施形態１に係る映像ソースの探索支援方法の場合と同様である。
【００７９】
上述した通り、本実施形態によれば実施形態１の効果に加えて以下の効果が得られる。
（１）初期入力端子に映像信号が入力されていた場合、制御部６６は、リモコン５４へ探索操作がなされると、各部による探索操作に応じた動作に先立って、映像信号補正部６１により初期入力端子に対応する映像ソース名と、映像信号の入力が有る旨の表示を含んだ探索画面を表す映像信号を生成させることから、プロジェクタ１００は、初期入力端子に映像信号が入力されていた場合であっても、その旨を探索画面に表示した上で、さらに映像信号を供給している他の映像ソースを探索する。
従って、プロジェクタ１００は、初期入力端子に映像信号が入力されていた場合であっても、その旨を探索画面に表示した上で、さらに映像信号を供給している他の映像ソースを探索することができる。
【００８０】
（２）初期入力端子以外の入力端子に映像信号の入力がなかった場合、制御部６６は、入力セレクタ５６により初期入力端子を選択させるとともに、映像信号補正部６１により初期入力端子から入力される映像信号による映像より小さな探索画面を初期入力端子から入力する映像信号に所定の時間重畳させることから、プロジェクタ１００は、探索動作が終了し、初期入力端子から入力される映像信号による映像を背景として、その中に探索画面を所定の時間表示する。
よって、プロジェクタ１００は、背景の入力端子からの映像信号による映像により、初期入力端子に対応する映像ソースから映像信号が入力されていることを使用者に視認させながら、探索画面を表示することができる。さらに所定の時間が経過すると、探索画面の重畳が終了するため、初期入力端子から入力される映像信号による映像のみを表示することができる。
【００８１】
（実施形態３）
《第３の映像ソース探索態様》
図１４は、実施形態３に係る映像ソースの探索支援方法を示したフローチャートである。図１５は、実施形態３における表示画面の一例を示す図である。
プロジェクタの構成は、実施形態１のプロジェクタ１００と同様である。
実施形態３のプロジェクタ１００は、記憶部６６に記憶されている「映像探索プログラム」のみが、実施形態１と異なるプログラム構成となっている。
ここでは、図１４を中心に、適宜図１、図1５などを参照しながら、プロジェクタ１００における映像ソースの探索の一態様について説明する。
【００８２】
リモコン５４の「電源ボタン」の操作がなされたため、操作受付け部５５から制御部６６へ操作信号が送られる。操作信号を受信した制御部６６は、各部を起動させ、初期化を行う。制御部６６は、入力セレクタ５６により、デフォルトの入力端子である入力端子Ｔ１を選択させる。このとき、映像ソース「Computer 1」からは映像信号が出力されていないものとする。
【００８３】
ステップＳ３１では、制御部６６は、識別部５７からの識別信号により、入力端子Ｔ１に対応する映像ソース「Computer 1」から映像信号が入力されていないことから、映像信号補正部６１により、図３の「スタンバイ画面」を表す映像信号を生成させ、当該映像を投写させる。「スタンバイ画面」には、「映像信号が入力されていませんという」メッセージが表示されている。
ステップＳ３２では、制御部６６は、操作部５３の「映像探索ボタン」の操作がなされたことによる操作受付け部５５からの操作信号を受信し、記憶部６７の「映像探索プログラム」を実行する。以下の各ステップにおける各部の動作は、「映像探索プログラム」に準じたものである。また、制御部６６は、映像探索操作がなされた時点で、入力セレクタ５６が選択している入力端子を、初期入力端子として記憶部６７に記憶する。
ステップＳ３３では、制御部６６は、映像信号補正部６１により、図４に示す「探索画面」を表す映像信号を生成させ、当該映像を投写させる。図４の「探索画面」では、映像ソース「Computer 1」からは、映像信号が入力されていないことを示す「無し」というメッセージが表示されている。
【００８４】
ステップＳ３４では、制御部６６は、入力セレクタ５６が選択している入力端子の次の選択順番の入力端子を選択させる。入力端子の選択順番は、「入力端子Ｔ１」→「入力端子Ｔ２」→「入力端子Ｔ３」→「入力端子Ｔ４」→「入力端子Ｔ１」…というように循環している。
ステップＳ３５では、制御部６６は、ステップＳ３４で選択された入力端子に対応する映像ソースからの映像信号の有無を識別部５７により確認させる。さらに、確認された映像ソースごとの映像信号の有無情報を、探索順番を含めて記憶部６７に記憶させる。
また、各ステップにおいて、制御部６６は、映像信号補正部６１により「探索画面」を探索状態に合わせて逐次更新させる。図５の「探索画面」は、入力端子Ｔ２に対応する映像ソース「Computer 2」からの映像信号の有無を確認している画面である。当該画面には、「映像信号を探索中である旨」のメッセージが表示されている。
【００８５】
ステップＳ３６では、制御部６６は、入力端子Ｔ１〜Ｔ４の全てについて、映像信号の探索を行ったか確認する。全ての入力端子についての探索が終わった場合、ステップＳ３７へ進む。まだ探索していない入力端子がある場合、ステップＳ３４へ戻る。
ステップＳ３７では、制御部６６は、映像信号補正部６１により、図１５の「探索画面」を表す映像信号を生成させ、当該映像を投写させる。図１５の「探索画面」では、全ての映像ソースにおける映像信号の入力の有無が一覧表示されている。また、「手動で映像ソースを選択して下さい。」というメッセージが表示されている。
ステップＳ３８では、制御部６６は、操作部５３またはリモコン５４の「ソース選択ボタン」の操作がなされたかどうか、操作受付け部５５からの操作信号の有無により確認する。映像ソースを選択する操作信号があった場合、ステップＳ４１へ進む。映像ソースを選択する操作信号が無かった場合、ステップＳ３９へ進む。
ステップＳ３９では、制御部６６は、ステップＳ３７で図１５の「探索画面」を表示させてから、所定の時間が経過したかどうか確認する。所定の時間が経過した場合は、ステップＳ４０へ進む。所定の時間に達していない場合は、ステップＳ３７へ戻り、「探索画面」の表示を継続する。ちなみに、所定の時間は、約１０秒間である。
【００８６】
ステップＳ４０では、制御部６６は、映像信号補正部６１により「探索画面」を閉じさせるとともに、記憶部６７から「最初に映像信号が確認された映像ソースに対応する入力端子」を読み出し、入力セレクタ５６により選択する。図１５の「探索画面」の場合、最初に映像信号が確認された映像ソース「Computer 2」に対応する入力端子Ｔ２が選択される。これにより、図８に示すような「Computer 2」からの映像信号による映像が投写される。
また、ステップＳ３７での探索結果が、図７に示すように全ての映像ソースにおいて映像信号が確認されなかった場合、制御部６６は、映像信号補正部６１により「探索画面」を閉じさせるとともに、記憶部６７から初期入力端子の情報を読み出し、入力セレクタ５６により当該入力端子を選択させる。
【００８７】
続いて、ステップＳ３８で、映像ソースの選択操作があった場合について説明する。
ステップＳ４１では、制御部６６は、映像信号補正部６１により「探索画面」を閉じさせるとともに、ステップＳ３８で選択された映像ソースに対応する入力端子を、入力セレクタ５６により選択する。
【００８８】
なお、プロジェクタ１００は、初期入力端子に映像信号が入力されていた場合も、同様な探索が可能である。初期入力端子に映像信号が入力されていた場合の探索動作について、上記説明と異なる部分についてのみ以下に説明する。
ステップＳ３１において、初期画面として映像ソース「Computer 1」からの映像信号による図１１に示すような映像が表示される。
ステップＳ３３において、制御部６６は、映像信号補正部６１により初期入力端子に対応する映像ソース名と、映像信号の入力が有る旨の表示を含んだ探索画面表す映像信号を生成させ、当該映像を投写させる。
ステップＳ３７において、「探索画面」の背景に映像ソース「Computer 1」の映像が表示される。
【００８９】
上述した通り、本実施形態によれば以下の効果が得られる。
（１）制御部６６は、操作部５３への探索操作がなされると、入力セレクタ５６により入力端子を順番に選択させるとともに、識別部５７により選択された入力端子ごとに映像信号の入力の有無を確認させ、確認した入力端子ごとの映像信号の有無を示す表示を映像信号補正部６１により探索画面に順次追加し、全ての入力端子における映像信号の有無を確認することから、プロジェクタ１００は、入力端子ごとの映像信号の有無を逐次探索画面に追加表示しながら、全ての入力端子における映像信号の有無を確認し、探索画面に一覧表示する。
よって、プロジェクタ１００は、使用者に対して映像信号の確認状況を映像ソースごとに逐次視認させることができ、さらに全ての入力端子における映像信号の有無を一覧表示した探索画面により、探索結果を効率的に知らしめることができる。また、全ての映像ソースにおける映像信号の有無が探索画面により一覧表示されるため、映像信号が有る映像ソースが複数確認された場合、使用者は、その中から所望の映像ソースを選択することができるので、プロジェクタ１００は、利便性が高い。
従って、プロジェクタ１００は、映像信号を出力している映像ソースを効率的に探索できるとともに、全ての映像ソースから映像信号が入力されていない場合であっても、そのことを使用者に視認させることができる。
【００９０】
（２）全ての入力端子における映像信号の有無確認を行った後、所定の時間内に操作部５３に映像ソースを選択する操作がなされなかった場合、制御部６６は、映像信号補正部６１により探索画面を閉じさせるとともに、最初に映像信号が確認された入力端子を入力セレクタ５６により選択させることから、プロジェクタ１００は、探索画面を閉じるとともに、最初に映像信号が確認された入力端子に対応する映像ソースからの映像信号による映像を表示する。
従って、プロジェクタ１００は、映像信号を出力している映像ソースを効率的に探索し、自動的に当該映像ソースからの映像信号による映像を表示することができる。
【００９１】
（３）プロジェクタ１００は、初期入力端子に映像信号が入力されていた場合であっても、映像信号が入力されていない場合と同様に、探索動作を行うことが可能であり、初期入力端子に映像信号が入力されていた場合と同様な効果を得ることができる。
【００９２】
なお、本発明は上述した実施形態に限定されず、上述した実施形態に種々の変更や改良などを加えることが可能である。変形例を以下に述べる。
【００９３】
（変形例１）
図１を用いて説明する。前記各実施形態において、プロジェクタ１００は、光変調素子として３枚の液晶ライトバルブ５２Ｒ，５２Ｇ，５２Ｂを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。
これらの構成であっても、前記実施形態および変形例と同様の作用効果を得ることができる。
【００９４】
（変形例２）
図１を用いて説明する。前記実施形態および変形例において、本発明の映像ソースの探索支援方法をフロント型のプロジェクタ１００に適用した例を説明したが、本発明はこれに限定されるものではなく、リア型のプロジェクションテレビ、液晶テレビ、プラズマテレビ、ＣＲＴテレビ、ＰＣモニタ、有機ＥＬディスプレイ、その他各種の映像表示装置に適用することができる。
【００９５】
（変形例３）
図１を用いて説明する。前記実施形態および変形例において、映像ソースとしては、「Computer 1」，「Computer 2」，「S-Video」，「Video」の４種類を例にとって本発明を説明したが、本発明はこれに限定されるものではない。例えば、さらに、映像ソースとして「コンポーネントビデオ」と、「デジタルビデオ」を加え、それぞれに対応する入力端子、ミニＤ-sub１５ピン端子と、ＩＥＥＥ１３９４（Institute of Electrical and Electronic Engineers 1394）端子とを増設した構成であっても良い。
また、これら以外の映像ソースやインターネット等の通信手段による映像ソースを用いた場合であっても、前記実施形態および変形例と同様の作用および効果を得ることができる。
【図面の簡単な説明】
【００９６】
【図１】実施形態１のプロジェクタの概略構成図。
【図２】実施形態１の映像ソースの探索支援方法を示したフローチャート。
【図３】表示画面の一例を示す図。
【図４】表示画面の一例を示す図。
【図５】表示画面の一例を示す図。
【図６】表示画面の一例を示す図。
【図７】表示画面の一例を示す図。
【図８】表示画面の一例を示す図。
【図９】表示画面の一例を示す図。
【図１０】表示画面の一例を示す図。
【図１１】実施形態２における表示画面の一例を示す図。
【図１２】表示画面の一例を示す図。
【図１３】表示画面の一例を示す図。
【図１４】実施形態３の映像ソースの探索支援方法を示したフローチャート。
【図１５】表示画面の一例を示す図。
【図１６】従来のプロジェクタに複数の映像ソースが接続された様子を示す図。
【図１７】従来の映像ソースの探索支援方法を説明するために示す図。
【図１８】従来の他の映像ソースの探索支援方法を説明するために示す図。
【符号の説明】
【００９７】
５１…光源部としてのランプ、５２Ｒ，５２Ｇ，５２Ｂ…表示部および光変調素子としての液晶ライトバルブ、５３…操作部、５４…操作部としてのリモコン、５６…入力セレクタ、５７…識別部、６１…映像信号補正部、６２…ＯＳＤメモリ、６５…投写レンズ、６６…制御部、６７…記憶部、１００…プロジェクタ、Ｔ１〜Ｔ４…入力端子、「Computer 1」，「Computer 2」，「S-Video」，「Video」…映像ソース、Vin…映像信号。
【図１】
2006285167.tif 000003
【図２】
2006285167.tif 000004
【図１４】
2006285167.tif 000005
【図１６】
2006285167.tif 000006
【図１７】
2006285167.tif 000007
【図３】
2006285167.tif 000008
【図４】
2006285167.tif 000009
【図５】
2006285167.tif 000010
【図６】
2006285167.tif 000011
【図７】
2006285167.tif 000012
【図８】
2006285167.tif 000013
【図９】
2006285167.tif 000014
【図１０】
2006285167.tif 000015
【図１１】
2006285167.tif 000016
【図１２】
2006285167.tif 000017
【図１３】
2006285167.tif 000018
【図１５】
2006285167.tif 000019
【図１８】
2006285167.tif 000020